(57)【特許請求の範囲】
【請求項１】
送風機により温水により加湿された空気を吹出し口より浴室内に吹出し前記浴室内がサウナ空間になるサウナ方法において、制御装置により始動時の前記送風機の風量を増加させることを特徴とするサウナ方法。
【請求項２】
温水を貯える貯水容器と、前記貯水容器内に貯えられた温水中に設けられた透湿性を持つ複数の中空糸と、浴室に備えられた吹出し口と、前記浴室に備えられた吸込み口と、送風機を備え、前記送風機によって前記吸込み口より吸込まれた空気が前記中空糸内を通過し加湿されて前記吹出し口より前記浴室内に吹出すサウナ装置において、制御装置により始動時の前記送風機の風量を増加させることを特徴とするサウナ装置。
【請求項３】
赤外線センサーと、前記赤外線センサーが接続された赤外制御装置を備え、前記赤外制御装置は送風機と接続され、前記赤外線センサーによって測定した領域の温度が予め設定された温度より低い場合には前記赤外制御装置により前記送風機の風量を増大させることを特徴とする請求項２記載のサウナ装置。
【発明の詳細な説明】
【技術分野】
【０００１】
本発明は、浴室、シャワー室やサウナ室等に設置するサウナ装置およびそのシステムに関する。
【背景技術】
【０００２】
従来、この種のサウナ装置は、室内の温度を１００℃程度、相対湿度を１０％程度の高温低湿環境にするドライ式サウナや、室内の温度を４０〜５０℃程度、相対湿度を７０％以上程度の中高温高湿環境にするスチーム式サウナがある。近年、浴室やシャワー室等に設置し、浴室やシャワー室そのものをサウナルームとして使用可能とするサウナ装置が注目されており、スチーム式のものが種々提案されている。
【０００３】
図１３は、従来のこのようなサウナ装置であるサウナ本体１０１を浴室１０２に配した概略図である。サウナ本体１０１は浴室１０２のカウンタ部１０３内に設置されている。浴室１０２内の空気はサウナ本体１０１の空気吸入口１０４より吸い込まれ、加湿された空気となって吹出し口１０５から浴室１０２内に送り出される。
【０００４】
図１４にサウナ本体１０１の内部構造の概略を示す。サウナ本体１０１の内部において、複数の湯噴出口１０６を有する噴出湯管１０７が上部に配置され、噴出湯管１０７の下部に複数の薄板１０８とパイプ状の連結部材１０９で構成される熱交換促進部材１１０が配置され、更にその下部にファンユニット１１１が配置されている。湯噴出口１０６から熱交換促進部材１１０上に噴出された温水の一部が蒸発して発生する水蒸気を、ファンユニット１１１によって空気吸入口１０４から吸引された空気に供給し、吹出し口１０５から浴室内に噴出するようになっている。熱交換後の温水はドレンパン１１２に集められ、外部へ排水される（例えば、特許文献１参照）。
【特許文献１】特開平６−６３１０３号公報（第５頁、第３図）
【発明の開示】
【発明が解決しようとする課題】
【０００５】
このような従来の技術によるサウナ装置では、使用する温水の一部は水蒸気として空気に供給されるが、残りの温水は外部へ排水されるのため、効率的な水および熱の使用が行えず、ランニングコストが高くなるという課題があった。
【０００６】
また、湯噴出口から噴出された温水の一部が水滴として吹出し口から浴室内に吹き出されることが構造上避けられないため、入浴者には体感上好ましくないという課題があった。
【０００７】
また、熱交換促進部材を加熱する事により空気を熱交換促進部材上の水によって加湿されると同時に加熱されるため浴室内は湿球温度の上昇と共に乾球温度をも上昇させるため、高い相対湿度とすることが難しいという課題があった。
【０００８】
また、上記のような従来の技術によるサウナ装置においては、浴室内の下部に吹出し口を設ける構造としているため、浴室には加湿された空気が広がることを妨げる人や浴槽や洗面器などの備品により温度分布が悪いという課題があった。
【０００９】
また、吹出し口に結露した水滴が浴室内に吹き出される可能性があり、これが入浴者の体に触れて体感上好ましくないという課題があった。
【００１０】
また、入浴者の位置は時々に変わるため位置によっては体感上の温熱感が損なわれるという課題があった。
【００１１】
本発明は、このような従来の課題を解決するものであり、効率的な加湿をすることができ、また、水および熱の使用量を最小限にしてランニングコストを抑えることができ、さらに、吹出し口より水滴が吹出すことが無く気化した水蒸気が供給でき、そして、浴室内の相対湿度を効率良く上げることのでき、くわえて、浴室内の温度分布が良い快適なサウナ空間を作ることができ、また、吹出し口に水蒸気の結露を防止することができ、そして、使用者の温熱感を向上させることができるサウナ装置を提供することを目的としている。
【課題を解決するための手段】
【００２２】
本発明のサウナ装置は上記の目的を達成するために、送風機により温水により加湿された空気を吹出し口より浴室内に吹出し前記浴室内がサウナ空間になるサウナ方法において、制御装置により始動時の前記送風機の風量を増加させることを特徴とするサウナ方法としたものである。また、温水を貯える貯水容器と、前記貯水容器内に貯えられた温水中に設けられた透湿性を持つ複数の中空糸と、浴室に備えられた吹出し口と、前記浴室に備えられた吸込み口と、送風機を備え、前記送風機によって前記吸込み口より吸込まれた空気が前記中空糸内を通過し加湿されて前記吹出し口より前記浴室内に吹出すサウナ装置において、制御装置により始動時の前記送風機の風量を増加させることを特徴とするサウナ装置としたものである。  
【００２３】
これにより始動時の浴室内空気の撹拌が起き浴室内温度の立ち上がり特性が向上できるサウナ方法およびサウナ装置が得られ、また、吹出し口の結露を防ぐことができるサウナ方法およびサウナ装置が得られる。
【００２６】
また、赤外線センサーを設けて浴室内の温度分布を計測し低温度の領域に積極的に送風する構成としたものである。
【００２７】
これにより低温域の解消が速やかに行うことができ、また、室温に加えて浴室内の温度分布を計測することにより使用者の温熱感を推測する際の精度が上がり快適な温熱感を実現できるサウナ装置が得られる。
【発明の効果】
【００５２】
送風機により温水により加湿された空気を吹出し口より浴室内に吹出し前記浴室内がサウナ空間になるサウナ方法において、制御装置により始動時の前記送風機の風量を増加させることを特徴とするサウナ方法としたものであり、また、温水を貯える貯水容器と、前記貯水容器内に貯えられた温水中に設けられた透湿性を持つ複数の中空糸と、浴室に備えられた吹出し口と、前記浴室に備えられた吸込み口と、送風機を備え、前記送風機によって前記吸込み口より吸込まれた空気が前記中空糸内を通過し加湿されて前記吹出し口より前記浴室内に吹出すサウナ装置において、制御装置により始動時の前記送風機の風量を増加させることを特徴とするサウナ装置としたものであり、始動時の吹出し空気量を増すことにより浴室内空気の撹拌が起き浴室内温度の立ち上がり特性が向上できるという効果のあるサウナ方法およびサウナ装置を提供できる。また、始動時の吹出し空気量を増すことにより吹出し口の結露を防ぐという効果のあるサウナ方法およびサウナ装置を提供できる。始動後一定時間は送風機の風量を最大とする機能を備えて、始動時の吹出し空気量を増すことにより浴室内空気の撹拌が起き浴室内温度の立ち上がり特性が向上できるという効果のあるサウナ方法およびサウナ装置を提供できる。また、浴室内の温度分布を計測し低温度の領域がある場合には送風する風量を増すことにより低温域の解消が速やかに行うことができる効果のあるサウナ装置を提供できる。また、室温に加えて浴室内の温度分布を計測することにより使用者の温熱感を推測する際の精度が上がり快適な温熱感を実現できるという効果のあるサウナ装置を提供できる。
【発明を実施するための最良の形態】
【００５６】
本発明は、送風機により温水により加湿された空気を吹出し口より浴室内に吹出し前記浴室内がサウナ空間になるサウナ方法において、制御装置により始動時の前記送風機の風量を増加させることを特徴とするサウナ方法としたものであり、また、温水を貯える貯水容器と、前記貯水容器内に貯えられた温水中に設けられた透湿性を持つ複数の中空糸と、浴室に備えられた吹出し口と、前記浴室に備えられた吸込み口と、送風機を備え、前記送風機によって前記吸込み口より吸込まれた空気が前記中空糸内を通過し加湿されて前記吹出し口より前記浴室内に吹出すサウナ装置において、制御装置により始動時の前記送風機の風量を増加させることを特徴とするサウナ装置としたものであり、始動時の吹出し空気量を増すことにより浴室内空気の撹拌が起き浴室内温度の立ち上がり特性が向上できるという効果のあるサウナ方法およびサウナ装置を提供できるという作用を有する。  
【００５７】
以下、本発明の実施の形態について図面を参照しながら説明する。なお、従来例と同一のものは同一番号を付し、その詳細な説明を省略する。
【００５８】
（実施の形態１）
図１に示すように、温水が貯えられた貯水容器１と、貯水容器１内の温水を循環させる加湿温水回路２と、貯水容器１に空気を送る送風機３と、加湿温水回路２内の温水を循環させるポンプ４と、加湿温水回路２内の温水をボイラー５からの温水により加熱する熱交換型加熱の加熱器６と、送風機３より送られた空気が通るように貯水容器１内に透湿性を持つストロー状の複数の中空糸７を設けて中空糸７の容積で貯水容器１の容積の約半分を満たすように構成される。貯水容器１内の温水をポンプ４で循環させながら加熱器６によりボイラー５からの温水で加熱して一定温度に維持し、送風機３によって吸込み口８より吸込まれた空気は貯水容器１内に送られて温水中に設けられた中空糸７内を通過する。貯水容器１内の温水中に設けられた中空糸７内の体積は温水の体積とほぼ等しいため空気は中空糸７の表面を介して大きな面積で温水から水蒸気が移動することにより高温高湿な空気となり吹出し口９より吹出される。
【００５９】
図２において、浴室１０２の天井面１０に吹出し口９と吸込み口８が備えられ、浴室１０２内の空気は吸込み口８より吸込まれサウナ装置１１により高湿度となって吹出し口９から浴室１０２内に吹出される。そして、天井面１０の吹出し口９から吹き出された高温高湿な空気は天井面１０と平行に広がりつつ浴室１０２内を降下し全域に広がることにより浴室１０２内は高温高湿なサウナ空間となる。  
【００６０】
なお、実施の形態１では、加熱器にボイラーの温水を用いる熱交換型の加熱器を用いたが、熱交換型の加熱器にかえてバーナーによる加熱器、または、電気ヒーター型の加熱器や、発電機などの排熱を用いてもよく、その作用効果に差異を生じない。
【００６１】
また、透湿性をもつ中空糸を用いたが、透湿性を持つものであればその形状は袋状のものや四角断面又は星型の断面を持つものでも良く、その作用効果に差異を生じない。
【００６２】
（実施の形態２）
次に、本発明の実施の形態２について図面を参照しながら説明する。なお、従来例または実施の形態１と同一のものは同一番号を付し、その詳細な説明を省略する。
【００６３】
図３および図４に示すように、天井面１０より突き出した形状の吹出し口Ａ１２と、吹出し口Ａ１２に取り付けられたルーバー１３と、ルーバー１３を駆動させるモーター１４と、吸い込み口の横に設けられた吸込み口Ａ１５と、吹出し口Ａ１２の側面に取り付けられ周辺空気を吸引する吹出し吸引口１６で構成される。加湿された空気は吹出し口Ａ１２より吹き出される際に吹出し吸引口１６より周辺空気を吸い込むことにより、周辺空気の積極的な循環が促されると共に吹出し空気量は増加し吹出し口の直近では相対湿度が下がる。また、吸込み口Ａ１５と吹出し口Ａ１２は一体化し隣接しているため、吸込み口Ａ１５により周辺空気が吸い込まれて吹出し口Ａ１２周辺の空気は滞留が起きない。そして、停止時には吹出し口Ａ１２を閉止する位置にあるルーバー１３は起動時にはモーター１４により所定の方向に向けられることにより高湿度の吹出し空気はルーバー１３により方向付けられ浴室１０２内の中心部に向けられる。
【００６４】
なお、実施の形態２では、吹出し空気はルーバー１３によりの方向付けられているが、吹出し口Ａ１２自体の方向を動作させて方向付けても良く、その作用効果に差異を生じない。
【００６５】
（実施の形態３）
次に、本発明の実施の形態３について図面を参照しながら説明する。なお、従来例または実施の形態１または２と同一のものは同一番号を付し、その詳細な説明を省略する。
【００６６】
図５および図６に示すように、吸込み口Ａ１５近傍に浴室１０２内の温度計測のための温度センサー１７と、浴室１０２の床面１８の温度を計測するために天井面１０に備えられた赤外線センサー１９と、起動からの時間を計測するタイマー２０と、タイマー２０の計測する時間から風量を決定する制御装置Ａ２１と、制御装置Ａ２１には温度センサー１７と赤外線センサー１９とタイマー２０が接続されて条件に応じた風量で送風機３を動作するよう構成される。図７に制御装置Ａ２１で行われる流れ図を示す。先ず、温度判断２２で４２℃以上の真偽を判断し、次に、赤外線判断２３で３０℃以上の真偽を判断し、タイマー判断２４で１０分間経過の真偽を判断する。そして、これら温度判断２２、赤外線判断２３とタイマー判断２４の何れかが真である場合は制御装置Ａ２１により送風機３は低風量で動作し、他の場合は高風量で動作する。
【００６７】
（実施の形態４）
次に、本発明の実施の形態４について図面を参照しながら説明する。なお、従来例または実施の形態１または２と同一のものは同一番号を付し、その詳細な説明を省略する。
【００６８】
図８、図９および図１０に示すように、浴室１０２の入浴者の有無を感知するための人感センサー２５と、人感センサー２５の信号から快適化手段としての吹出し方向を決定しモーター１４を動作させる制御装置Ｂ２６で構成される。人感センサー２５は浴室内を９等分にした領域Ａ２７〜領域Ｉ３０の領域での入浴者有無の信号を制御装置Ｂ２６に出力する。人感センサー２５からの信号により制御装置Ｂ２６によって領域毎に予め決められた方向Ａ３１〜方向Ｉ３４にモーター１４を動作させルーバー１３を向けて、入浴者が居る領域に吹き出す。
【００６９】
なお、実施の形態４では、吹出し空気はルーバー１３を入浴者に向けられているが、起動時や高出力時などにはルーバー１３を入浴者の居ない方向に向けることも容易に実現できる。
【００７０】
（実施の形態５）
次に、本発明の実施の形態５について図面を参照しながら説明する。なお、従来例または実施の形態１または２と同一のものは同一番号を付し、その詳細な説明を省略する。
【００７１】
図１１に示すように吹出し口９と、天井面１０上の吹出し口９と天井面１０の中心３５で対象な吸込み口B３６で構成される。吹出し口９から吹き出される空気は浴室１０２内を循環して吸込み口B３６から吸い込まれるが、吹出し口９と吸込み口B３６は中心３５を挟んで設けられているため浴室１０２内の空気流れ３７は効率の良い循環となる。
【００７２】
なお、実施の形態５では吹出し口９と吸込み口B３６は中心３５で対象と定義しているが、吹出し口９と吸込み口B３６が個々に設け、浴室の１辺の１/３以上の間隔が取られていればよく、その作用効果に差異を生じない。
【００７３】
（実施の形態６）
次に、本発明の実施の形態６について図面を参照しながら説明する。なお、従来例または実施の形態１または２と同一のものは同一番号を付し、その詳細な説明を省略する。
【００７４】
図１２に示すように浴室１０２の天井面１０に天井扇３８を備えて構成される。天井扇３８が動作することにより浴室１０２内に旋回流３９が生じ、吹出し口９から加湿された空気は浴室１０２内を強制循環させられて温度分布が均一になり、また、入浴者に加湿された気流が当たり温熱感が上昇する。
【００７５】
なお、天井扇３８を天井面に取り付けたが浴室側面でも良く、その効果に変わりはない。また、天井扇３８の替わりに浴室に備わる浴室暖房機の送風機能を用いても良くその作用効果に差異を生じない。
【産業上の利用可能性】
【００７６】
浴室に取付けたサウナ装置を用いて容易に高加湿装置とすることができ、居室や大空間にサウナ装置を取付けることにより、居住空間の加湿器の用途にも適用できる。
【図面の簡単な説明】
【００７７】
【図１】本発明の実施の形態１におけるサウナ装置を示す構成図
【図２】同サウナ装置の浴室への設置図
【図３】本発明の実施の形態２におけるサウナ装置の吹出し口周りの断面図
【図４】同サウナ装置の外観図
【図５】本発明の実施の形態３におけるサウナ装置および浴室への設置図
【図６】同サウナ装置の制御ブロック図
【図７】同サウナ装置の制御フローチャート
【図８】本発明の実施の形態４におけるサウナ装置および浴室への設置図
【図９】同サウナ装置の設置された浴室天井面から見た領域の概略図
【図１０】同サウナ装置の制御ブロック図
【図１１】本発明の実施の形態５におけるサウナ装置および浴室への設置図
【図１２】本発明の実施の形態６におけるサウナ装置および浴室への設置図
【図１３】従来のサウナ本体および浴室への設置図
【図１４】従来の技術によるサウナ装置の内部構造の概略図
【符号の説明】
【００７８】
１    貯水容器
２    加湿温水回路
３    送風機
４    ポンプ
６    加熱器
７    中空糸
８    吸込み口
９    吹出し口
１０  天井面
１１  サウナ装置
１２  吹出し口Ａ
１３  ルーバー
１４  モーター
１５  吸込み口Ａ
１６  吹出し吸引口
１７  温度センサー
１９  赤外線センサー
２０  タイマー
２１  制御装置Ａ
２５  人感センサー
２６  制御装置Ｂ
３６  吸込み口B
３８  天井扇
１０２  浴室
【図１】
0004367047.tif 000002
【図２】
0004367047.tif 000003
【図３】
0004367047.tif 000004
【図４】
0004367047.tif 000005
【図５】
0004367047.tif 000006
【図６】
0004367047.tif 000007
【図７】
0004367047.tif 000008
【図８】
0004367047.tif 000009
【図９】
0004367047.tif 000010
【図１０】
0004367047.tif 000011
【図１１】
0004367047.tif 000012
【図１２】
0004367047.tif 000013
【図１３】
0004367047.tif 000014
【図１４】
0004367047.tif 000015